【手続補正書】
【提出日】平成30年10月3日(2018.10.3)
【手続補正１】
【補正対象書類名】特許請求の範囲
【補正対象項目名】全文
【補正方法】変更
【補正の内容】
【特許請求の範囲】
【請求項１】
被検体から発生して伝搬する音響波を受信して電気信号に変換する変換素子を備える探触子と、
前記被検体と前記探触子を音響的にマッチングさせる音響整合材を保持する保持部と、
前記音響整合材の複数の箇所の温度を計測する温度計測部と、
前記電気信号に基づいて前記被検体の特性情報を取得する再構成処理部と、
前記複数の箇所において計測された温度の情報に基づいた制御を行う制御部と、
を有する
ことを特徴とする被検体情報取得装置。
【請求項２】
前記制御部は、前記複数の箇所において計測された温度の差分情報に基づいて、前記制御を行う
ことを特徴とする請求項１に記載の被検体情報取得装置。
【請求項３】
前記探触子と前記被検体の相対的な位置関係を変化させる駆動機構を有し、
前記制御部は、前記複数の箇所において計測された温度の情報に基づいて、前記駆動機構を制御することにより前記音響整合材を撹拌する
ことを特徴とする請求項１に記載の被検体情報取得装置。
【請求項４】
前記制御部は、前記複数の箇所において計測された温度の差分が第１の規定値より大きい場合、前記駆動機構を制御することにより前記音響整合材を撹拌する
ことを特徴とする請求項３に記載の被検体情報取得装置。
【請求項５】
前記音響整合材の温度を変化させる温調器をさらに有し、
前記制御部は、前記複数の箇所において計測された温度の情報に基づいて、当該温度の差分が小さくなるように前記温調器を制御する
ことを特徴とする請求項１に記載の被検体情報取得装置。
【請求項６】
前記再構成処理部は、前記音響整合材の音速を取得し、前記音速と前記電気信号に基づいて前記特性情報を取得し、
前記制御部は、前記複数の箇所において計測された温度の差分が第１の規定値より大き
い場合、当該温度の差分が小さくなるように前記温調器を制御し、当該温度の差分が小さくなるように前記温調器を制御した後に、前記音速の取得を行うように前記再構成処理部を制御する
ことを特徴とする請求項５に記載の被検体情報取得装置。
【請求項７】
前記音響整合材を循環させる循環器をさらに有し、
前記再構成処理部は、前記音響整合材の音速を取得し、前記音速と前記電気信号に基づいて前記特性情報を取得し、
前記制御部は、前記複数の箇所において計測された温度の情報に基づいて、当該温度の差分が小さくなるように前記循環器を制御し、当該温度の差分が小さくなるように前記循環器を制御した後に、前記音速の取得を行うように前記再構成処理部を制御する
ことを特徴とする請求項１に記載の被検体情報取得装置。
【請求項８】
前記音響整合材を撹拌する撹拌器をさらに有し、
前記再構成処理部は、前記音響整合材の音速を取得し、前記音速と前記電気信号に基づいて前記特性情報を取得し、
前記制御部は、前記複数の箇所において計測された温度の情報に基づいて、当該温度の差分が小さくなるように前記撹拌器を制御し、当該温度の差分が小さくなるように前記撹拌器を制御した後に、前記音速の取得を行うように前記再構成処理部を制御する
ことを特徴とする請求項１に記載の被検体情報取得装置。
【請求項９】
前記探触子と前記被検体の相対的な位置関係を変化させる駆動機構を有し、
前記温度計測部は、前記駆動機構により変化したそれぞれの前記位置関係において前記温度を計測し、
前記制御部は、それぞれの前記位置関係における前記温度の情報に基づいて前記再構成処理部を制御する
ことを特徴とする請求項１に記載の被検体情報取得装置。
【請求項１０】
前記再構成処理部は、前記音響整合材の音速を取得し、前記音速と前記電気信号に基づいて前記特性情報を取得し、
前記温度計測部は、前記音響波の受信の開始時および終了時に前記音響整合材の温度を計測し、
前記制御部は、前記音響波の受信の開始時と終了時の間における前記音響整合材の温度および音速の推定処理を行う
ことを特徴とする請求項１に記載の被検体情報取得装置。
【請求項１１】
前記再構成処理部は、前記音響整合材の音速を取得し、前記音速と前記電気信号に基づいて前記特性情報を取得し、
前記制御部は、前記複数の箇所において計測された温度の情報に基づいて、当該温度の差分が第２の規定値より小さい場合、前記再構成処理部が前記音速を一定とみなして前記特性情報を取得するような制御を行う
ことを特徴とする請求項１に記載の被検体情報取得装置。
【請求項１２】
前記制御部は、前記複数の箇所において計測された温度の情報に基づいて、当該温度の差分が前記第２の規定値より大きい場合、前記音響整合材の音速分布を推定して前記再構成処理部による前記特性情報の取得に利用する
ことを特徴とする請求項１１に記載の被検体情報取得装置。
【請求項１３】
前記制御部は、前記複数の箇所において計測された温度の情報に基づいて、前記探触子による前記音響波の受信を制御する
ことを特徴とする請求項１に記載の被検体情報取得装置。
【請求項１４】
前記再構成処理部は、前記音響整合材の音速を取得し、前記音速と前記電気信号に基づいて前記特性情報を取得し、
前記制御部は、前記複数の箇所において計測された温度の情報に基づいて、前記再構成処理部による音速の取得を制御する
ことを特徴とする請求項１に記載の被検体情報取得装置。
【請求項１５】
探触子を用いて被検体から発生して伝搬する音響波を受信することにより得られた電気信号に基づいて、前記被検体の特性情報を取得する再構成処理部と、
前記被検体と前記探触子を音響的にマッチングさせる音響整合材の複数の箇所の温度の情報を取得し、前記複数の箇所における温度の情報に基づいた制御を行う制御部と、
を有することを特徴とする情報処理装置。
【請求項１６】
前記再構成処理部は、前記音響整合材の音速を取得し、前記音速と前記電気信号に基づいて前記特性情報を取得し、
前記制御部は、前記音響整合材の前記複数の箇所の温度の情報に基づいて、当該温度の差分が規定値より小さい場合、前記再構成処理部が前記音速を一定とみなして前記特性情報を取得するような制御を行う
ことを特徴とする請求項１５に記載の情報処理装置。
【請求項１７】
前記制御部は、前記音響整合材の前記複数の箇所の温度の情報に基づいて、当該温度の差分が前記規定値より大きい場合、前記音響整合材の音速分布を推定して前記再構成処理部による前記特性情報の取得に利用する
ことを特徴とする請求項１６に記載の情報処理装置。
【請求項１８】
探触子を用いて被検体から発生して伝搬する音響波を受信することにより得られた電気信号に基づいて、前記被検体の特性情報を取得する情報処理方法であって、
前記被検体と前記探触子を音響的にマッチングさせる音響整合材の複数の箇所の温度の情報を取得し、
前記複数の箇所における温度の情報に基づいた制御を行う
ことを特徴とする情報処理方法。
【請求項１９】
請求項１８に記載の情報処理方法をコンピュータに実行させるためのプログラム。
【手続補正２】
【補正対象書類名】明細書
【補正対象項目名】発明の名称
【補正方法】変更
【補正の内容】
【発明の名称】被検体情報取得装置、情報処理装置および情報処理方法
【手続補正３】
【補正対象書類名】明細書
【補正対象項目名】０００１
【補正方法】変更
【補正の内容】
【０００１】
本発明は、被検体情報取得装置、情報処理装置および情報処理方法に関する。 
【手続補正４】
【補正対象書類名】明細書
【補正対象項目名】０００８
【補正方法】変更
【補正の内容】
【０００８】
本発明は、以下の構成を採用する。すなわち、
被検体から発生して伝搬する音響波を受信して電気信号に変換する変換素子を備える探触子と、
前記被検体と前記探触子を音響的にマッチングさせる音響整合材を保持する保持部と、
前記音響整合材の複数の箇所の温度を計測する温度計測部と、
前記電気信号に基づいて前記被検体の特性情報を取得する再構成処理部と、
前記複数の箇所において計測された温度の情報に基づいた制御を行う制御部と、
を有する
ことを特徴とする被検体情報取得装置である。
本発明はまた、以下の構成を採用する。すなわち、
探触子を用いて被検体から発生して伝搬する音響波を受信することにより得られた電気信号に基づいて、前記被検体の特性情報を取得する再構成処理部と、
前記被検体と前記探触子を音響的にマッチングさせる音響整合材の複数の箇所の温度の情報を取得し、前記複数の箇所における温度の情報に基づいた制御を行う制御部と、
を有することを特徴とする情報処理装置である。
本発明はまた、以下の構成を採用する。すなわち、
探触子を用いて被検体から発生して伝搬する音響波を受信することにより得られた電気信号に基づいて、前記被検体の特性情報を取得する情報処理方法であって、
前記被検体と前記探触子を音響的にマッチングさせる音響整合材の複数の箇所の温度の情報を取得し、
前記複数の箇所における温度の情報に基づいた制御を行う
ことを特徴とする情報処理方法である。